(57)【特許請求の範囲】
【請求項１】
環状バンドの開口上方縁部の平坦な上端面と、キャップ本体の開口下方縁部の平坦な下端面とを破断可能な連結部で連結一体化したピルファープルーフキャップであって、
前記環状バンドの上端面と前記キャップ本体の下端面とを最短距離で連結する直線状連結部に、前記環状バンドの上端面または前記キャップ本体の下端面のいずれか一方で破断できるように細首部を設けるとともに、
前記環状バンドの開口縁部の上端面および前記キャップ本体の開口縁部の下端面のうち、破断した連結部が残存する端面に、前記連結部の基部近傍に位置する少なくとも一つの保護用突部を、突設したことを特徴とするピルファープルーフキャップ。
【請求項２】
破断される連結部の基部の両側近傍に位置する保護用突部を、突設したことを特徴とする請求項１に記載のピルファープルーフキャップ。
【請求項３】
キャップ本体に形成した位置規制用突部に保護用突部を一体化したことを特徴とする請求項１または２に記載のピルファープルーフキャップ。
【発明の詳細な説明】
【技術分野】
【０００１】
本発明は、ビンなどのビン口に取り付けることにより、不正開封による開封履歴を明示し、内容物の不正な詰め替えによる事故を防止できる合成樹脂製ピルファープルーフキャップに関する。
【背景技術】
【０００２】
従来、ピルファープルーフキャップとしては、例えば、特許文献１に開示されているように、瓶口に螺合する螺子条を内周に形成した冠蓋部と、該冠蓋部の開蓋を阻止する瓶口肩部の掛合突起と掛合する掛合爪が内周に配置された締結リング部と、該締結リング部及び冠蓋部を連結し、冠蓋部の開蓋で切断される橋絡部とからなるピルファープルーフキャップにおいて、橋絡部がその一端を締結リング部の上面に連結し、その他端を冠蓋部の下面に形成した切欠溝底部分に接続し、冠蓋部の開蓋で冠蓋部の切欠溝底部分で切断され、切断残りが冠蓋部下面より切欠溝内に埋没されることを特徴とする合成樹脂製ピルファープルーフキャップがある。
【先行技術文献】
【特許文献】
【０００３】
【特許文献１】特開平１０−１３９０５３号公報
【発明の概要】
【発明が解決しようとする課題】
【０００４】
しかしながら、前述の合成樹脂製ピルファープルーフキャップでは、その図４に示すように、冠蓋部１を回して橋絡部４の末端４２の近傍で破断することにより、橋絡部４の切断残り４３が締結リング部２に残存する。このため、需要者が指等を前記切断残り４３に直接接触するおそれがあり、いわゆるチクチク感を感じるだけでなく、場合によっては指や口等にケガをするおそれがある。
本発明は、前述の問題点に鑑み、キャップ開封後の使用感触が良いだけでなく、指や口等にケガをするおそれのないピルファープルーフキャップを提供することを課題とする。
【課題を解決するための手段】
【０００５】
本発明に係るピルファープルーフキャップは、前述の課題を解決すべく、環状バンドの開口上方縁部の平坦な上端面と、キャップ本体の開口下方縁部の平坦な下端面とを破断可能な連結部で連結一体化したピルファープルーフキャップであって、前記環状バンドの上端面と前記キャップ本体の下端面とを最短距離で連結する直線状連結部に、前記環状バンドの上端面または前記キャップ本体の下端面のいずれか一方で破断できるように細首部を設けるとともに、前記環状バンドの開口縁部の上端面および前記キャップ本体の開口縁部の下端面のうち、破断した連結部が残存する端面に、前記連結部の基部近傍に位置する少なくとも一つの保護用突部を、突設した構成としてある。
【発明の効果】
【０００６】
本発明によれば、連結部の破断部分が残存して露出しても、前記破断部分の近傍に前記保護用突部が存在するので、前記破断部分に使用者の指や口等が直接接触することがなく、いわゆるチクチク感が生じないだけでなく、指や口等がケガをするおそれもなくなり、安全性の高いピルファープルーフキャップが得られる。
【０００７】
本実施形態によれば、連結部をキャップ本体の下端面近傍で破断しても、前記保護用突部で所望の安全性を確保できるので、設計の自由度が大きくなり、設計しやすいピルファープルーフキャップが得られる。
【０００８】
本発明の実施形態としては、破断される連結部の基部の両側近傍に位置する保護用突部を、突設しておいてもよい。
本実施形態によれば、連結部の破断部分の両側に保護用突部が位置するので、使用感触が向上するだけでなく、より一層安全性が高まる。
【０００９】
本発明の他の実施形態としては、キャップ本体に形成した位置規制用突部に保護用突部を一体化しておいてもよい。
【００１０】
本実施形態によれば、位置規制用突部を保護用突部に兼用できることになり、金型設計が容易になるとともに、剛性を高めることができるという効果がある。
【図面の簡単な説明】
【００１１】
【図１】図１Ａ，１Ｂは本発明に係るピルファープルーフキャップの第１実施形態を示す平面図および部分断面図である。
【図２】図２Ａは図１ＡのIIＡ−IIＡ線断面図、図２Ｂ，２Ｃは図１ＢのIIＢ−IIＢ線，IIＣ−IIＣ線断面図である。
【図３】図３Ａ，３Ｂはキャップ受け具の平面図および正面図である。
【図４】図４Ａは図３ＡのIVＡ−IVＡ線断面図、図４Ｂは図３ＢのIVＢ−IVＢ線断面図である。
【図５】図５Ａ，５Ｂは本発明に係るピルファープルーフキャップの第２実施形態を示す平面図および部分断面図である。
【図６】図６Ａは図５ＡのVIＡ−VIＡ線断面図、図６Ｂ，６Ｃは図５ＢのVIＢ−VIＢ線，VIＣ−VIＣ線断面図である。
【図７】図７Ａ，７Ｂ，７Ｃは本発明に係るピルファープルーフキャップの第３実施形態を示す縦断面図、異なる位置で切断した横断面図である。
【図８】図８Ａ，８Ｂ，８Ｃは本発明に係るピルファープルーフキャップの第４実施形態を示す縦断面図、異なる位置で切断した横断面図である。
【図９】図９Ａ，９Ｂ，９Ｃは本発明に係るピルファープルーフキャップの第５実施形態を示す縦断面図、異なる位置で切断した横断面図である。
【発明を実施するための形態】
【００１２】
本発明に係るピルファープルーフキャップの実施形態を図１ないし図９の添付図面に従って説明する。
第１実施形態に係るピルファープルーフキャップ１０は、図１ないし図４に示すように、環状バンド２０とキャップ本体４０とを連結部３０を介して分離可能に連結一体化されおり、後述するキャップ受け具５０に組み付け可能となっている。
【００１３】
前記環状バンド２０は、成型時に離型するためにピンで環状バンド２０をキャップ本体４０側に押したとき、あるいは、ピルファープルーフキャップ１０をキャップ受け具５０に取り付けるときに、環状バンド２０とキャップ本体４０との間の空隙がつぶれないようにするため、その開口縁部の上端面に所定のピッチで台形状の位置規制用突部２１を突設してある。なお、前記位置規制用突部２１は内側に少し迫り出している。また、前記環状バンド２０は、その内側面の下方側縁部に沿って抜け止め用突条２２を形成してあるとともに、反時計回り方向の回転を規制するため、その内側面の上方縁部に４つの位置規制用爪部２３を所定のピッチで突設してある。前記位置規制用爪部２３の上端面に後述する連結部３０の下端部を破断可能に一体成形してある。
【００１４】
前記連結部３０は、その下端部で破断できるように最小断面積となっており、前記位置規制用爪部２３の上端面に一体成形されているとともに、その上端部が後述するキャップ本体４０の開口縁部の下端面に一体成形されている。
【００１５】
前記キャップ本体４０は、その内周面に雌ネジ部４１を形成してあり、その開口縁部の下端面に、連結部３０の上端部を一体成形してあるとともに、前記連結部３０の片側近傍に断面略Ｙ字形状の保護用第１突部４２を突設してある。また、前記キャップ本体４０は、前記連結部３０の残る片側に逆回転を防止するための台形状の位置規制用突部４３を突設してある。
【００１６】
前記キャップ受け具５０は、図３および図４に示すように、例えば、図示しないマヨネーズ容器の注出具として装着されるものである。そして、前記マヨネーズ容器の開口部に一体化する取付部５１の上方に位置する外周面にガタツキ防止用リブ５２を上下方向に並設してあるとともに、２つの前記ガタツキ防止用リブ５２の上端部を連結するように円弧状リブ５３を形成してある。このため、前記円弧状リブ５３の間には切り欠き部５４が形成されている。さらに、前記円弧状リブ５３の一端に、前記環状バンド２０の空回りを防止するための一対の空回り防止用リブ５５を軸心を中心として対向する位置に設けてある。さらに、前記空回り防止用リブ５５の上方に位置する外周面には雄ネジ部５６を形成してある。なお、５７はキャップ受け具５０の注出口である。
【００１７】
そして、前記キャップ受け具５０にピルファープルーフキャップ１０を嵌合し、前記ピルファープルーフキャップ１０の環状バンド２０が前記キャップ受け具５０の雄ネジ部５６を通過し、ついで、前記キャップ受け具５０の雄ネジ部５６に前記ピルファープルーフキャップ１０の雌ネジ部４１を螺合させると、前記環状バンド２０の抜け止め用突条２２が円弧状リブ５３を乗り越える。そして、前記環状バンド２０の内側面に形成した位置規制用爪部２３が前記キャップ受け具５０に形成した空回り防止用リブ５５を乗り越える。ついで、位置規制用爪部２３が切り欠き部５４に係合するとともに、前記環状バンド２０の内方に迫り出している位置規制用突部２１がキャップ受け具５０の円弧状リブ５３の上端面に当接し、組み付け作業が完了する。
【００１８】
次に、前記ピルファープルーフキャップ１０だけを開放側に回すと、環状バンド２０に設けた位置規制用爪部２３がキャップ受け具５０の空回り防止用リブ５５に係合するので、前記キャップ本体４０だけが強制的に回転させられる。このため、前記連結部３０、特に、断面積が小さい連結部３０の下端部に剪断応力が集中し、破断する。なお、仮に前記キャップ本体４０を閉鎖側に回しても、キャップ本体４０の台形状の位置規制用突部４３が環状バンド２０の位置規制用突部２１に係合し、位置規制されるので、前記連結部３０が誤って破断されることはない。
【００１９】
第１実施形態において、連結部３０の下端部が破断しても、前記キャップ本体４０の開口縁部の下端面のうち、前記連結部３０の片側近傍に保護用第１突部４２を形成してある。このため、使用者が連結部３０の破断部分に直接触れることがなく、チクチク感を感じることがないだけでなく、ケガをすることもないので、安全であるという利点がある。
【００２０】
第２実施形態に係るピルファープルーフキャップは、図５および図６に示すように、基本的構造は前述の第１実施形態と同様であり、異なる点はキャップ本体４０の開口縁部の下端面に、連結部３０を間にして断面略Ｙ字形状の保護用第１突部４２と、保護用第２突部４４とを形成した場合である。他は前述の第１実施形態とほぼ同様であるので、同一部分には同一番号を附して説明を省略する。
本実施形態によれば、連結部３０の両側に保護用第１，第２突部４２，４４を形成してあるので、連結部３０の破断部分に使用者がより一層触れにくくなり、安全性が向上するという利点がある。
【００２１】
第３実施形態に係るピルファープルーフキャップは、図７に示すように、基本的構造は前述の第１実施形態と同様であり、異なる点はキャップ本体４０の開口縁部の下端面に、連結部３０を間にして断面略Ｙ字形状の保護用第１突部４２と、保護用第３突部としても機能する位置規制用突部４５とを形成した場合である。他は前述の第１実施形態とほぼ同様であるので、同一部分には同一番号を附して説明を省略する。
本実施形態によれば、連結部３０の両側に保護用第１，第２突部４２，４４を形成してあるので、連結部３０の破断部分に使用者がより一層触れにくくなり、安全性が向上する。さらに、保護用第２突部を一体成形して位置規制用突部４５を形成してあるので、剛性が高まり、キャップ本体４０の逆回りによる連結部３０の破断をより一層確実に防止できるという利点がある。
【００２２】
第４実施形態に係るピルファープルーフキャップは、図８に示すように、基本的構造は前述の第１実施形態と同様であり、異なる点は連結部３１の中央部で破断するように細くした点である。このため、前記連結部３１の破断部分で使用者がケガをしないように、環状バンド２０の開口縁部の上端面およびキャップ本体４０の開口縁部の下端面にそれぞれ保護用第４，第５突部２４，４６を同一軸心上にそれぞれ突設してある。他は前述の第１実施形態とほぼ同様であるので、同一部分には同一番号を附して説明を省略する。
本実施形態によれば、安全性を維持しつつ、連結部３０の破断位置を選択でき、設計の自由度が大きくなり、設計しやすくなるという利点がある。
【００２３】
第５実施形態に係るピルファープルーフキャップは、図９に示すように、基本的構造は前述の第１実施形態と同様であり、異なる点は連結部３２の破断位置を上方側の基部とした点である。このため、環状バンド２０の開口縁部の上端面のうち、前記連結部３２の基部近傍に保護用第６突部２５を突設してある。他は前述の第１実施形態とほぼ同様であるので、同一部分には同一番号を附して説明を省略する。
本実施形態によれば、安全性を維持しつつ、連結部の破断位置を選択でき、設計の自由度が大きくなり、設計しやすくなるという利点がある。
【産業上の利用可能性】
【００２４】
本発明に係るピルファープルーフキャップは、マヨネーズ容器に限らず、他の容器の注出口に適用できることは勿論である。
【符号の説明】
【００２５】
１０：ピルファープルーフキャップ
２０：環状バンド
２１：位置規制用突部
２２：抜け止め用突条
２３：位置規制用爪部
２４：保護用第４突部
２５：保護用第６突部
３０，３１，３２：連結部
４０：キャップ本体
４１：雌ネジ部
４２，４４：保護用第１，第２突部
４３，４５：位置規制用突部
４６：保護用第５突部
５０：キャップ受け具
５１：取付部
５２：ガタツキ防止用リブ
５３：円弧状リブ
５４：切り欠き部
５５：空回り防止用リブ
【図１】
0005568936.tif 000002
【図２】
0005568936.tif 000003
【図３】
0005568936.tif 000004
【図４】
0005568936.tif 000005
【図５】
0005568936.tif 000006
【図６】
0005568936.tif 000007
【図７】
0005568936.tif 000008
【図８】
0005568936.tif 000009
【図９】
0005568936.tif 000010